(57)【要約】【課題】この発明は、簡単な装置構成で、ハンドルの引き出し動作に連動してレンズシャッターを閉じることができ、且つハンドルを収納した状態でもレンズシャッターを単独で開閉できるレンズシャッターの閉じ機構を提供することを課題とする。【解決手段】プロジェクター１を持ち運ぶハンドル４を持ち運び位置に引き出す途中で、ハンドル４の係合端部４ｂが開放位置にあるシャッター６の係合片部６ｂに係合し、シャッター６を閉塞位置に向けて移動させる。ハンドル４を完全に引き出す直前に、αバネ１２による閉じ方向への付勢力が作用するよう、係合端部４ｂおよび／或いは係合片部６ｂのスライド方向に沿った位置を設計した。【選択図】      図３
2009157112.tif 000002
【特許請求の範囲】
【請求項１】
電子機器のレンズを閉塞する閉塞位置と上記レンズを開放する開放位置との間で移動可能に設けられたレンズシャッターを上記閉塞位置へ閉じる閉じ機構であって、
上記電子機器から引き出した持ち運び位置と該電子機器に収納した収納位置との間で移動可能に設けられた、該電子機器を持ち運ぶためのハンドルと、
このハンドルを上記収納位置から持ち運び位置へ引き出す動作に連動して上記レンズシャッターを上記開放位置から上記閉塞位置に向けて移動させる連動機構と、
を有することを特徴とするレンズシャッターの閉じ機構。
【請求項２】
上記連動機構は、上記開放位置から上記閉塞位置へ向かう途中の上記レンズシャッターを、外力によらず、上記閉塞位置へ付勢する付勢機構を有し、
上記ハンドルの引き出し動作に連動して、少なくとも上記付勢機構による付勢力が働き始める位置まで上記レンズシャッターを移動させることで、当該シャッターが上記閉塞位置へ自動的に移動されることを特徴とする請求項１に記載の閉じ機構。
【請求項３】
上記付勢機構は、上記閉塞位置から上記開放位置へ向かう途中の上記レンズシャッターを、外力によらず、上記開放位置へも付勢することを特徴とする請求項２に記載の閉じ機構。
【請求項４】
上記連動機構は、上記ハンドルを上記収納位置へ収納した状態で、上記レンズシャッターの上記閉塞位置から上記開放位置に向かう方向の拘束を解除し、当該レンズシャッターの開閉動作を可能とすることを特徴とする請求項１に記載の閉じ機構。
【請求項５】
上記付勢機構は、上記ハンドルを上記持ち運び位置まで引き出す直前に、上記レンズシャッターに上記閉塞位置へ向かう上記付勢力が働くよう設計されていることを特徴とする請求項１に記載の閉じ機構。
【発明の詳細な説明】
【技術分野】
【０００１】
この発明は、プロジェクターなどの電子機器のレンズをカバーするレンズシャッターを持ち運び用のハンドルの引き出し動作に連動して閉じる閉じ機構に関する。
【背景技術】
【０００２】
従来、液晶プロジェクターのレンズを保護するレンズ保護装置として、液晶プロジェクターを持ち運ぶための把手（ハンドル）をレンズカバーに取り付けたものが知られている（例えば、特許文献１参照。）。つまり、液晶プロジェクターの持ち運び時に、把手を持って装置を垂下すると、レンズカバーに対して装置本体がスライド或いは回動し、レンズを塞ぐ位置にレンズカバーが被さるようになっている。
【０００３】
このような構造により、持ち運び時にレンズカバーを閉め忘れることを防止でき、レンズを確実に保護できる。
【特許文献１】特開平１１−１４９５８号公報（図１乃至図３）
【発明の開示】
【発明が解決しようとする課題】
【０００４】
しかし、上記特許文献１に開示された装置では、レンズカバーに把手を設けるため、レンズカバーを必要以上に大きくする必要があり、その分、装置構成が大型化して重くなってしまう。また、比較的大きなレンズカバーを開閉するため、液晶プロジェクターを使用状態に設置してカバーを開閉する場合には、周辺にカバーを開閉するための比較的大きな空間を確保する必要があり、その分、装置の設置スペースを大きくする必要がある。
【０００５】
また、この装置では、使用時、持ち運び時にかかわらず、レンズを保護する閉塞位置にレンズカバーを配置するためには、把手を持ち運び位置にスライド或いは回動させる必要があり、レンズカバーを把手とは別に動作させることができない。
【０００６】
この発明の目的は、簡単な装置構成で、ハンドルの引き出し動作に連動してレンズシャッターを閉じることができ、且つハンドルを収納した状態でもレンズシャッターを単独で開閉できるレンズシャッターの閉じ機構を提供することにある。
【課題を解決するための手段】
【０００７】
上記目的を達成するため、本発明のレンズシャッターの閉じ機構は、電子機器のレンズを閉塞する閉塞位置と上記レンズを開放する開放位置との間で移動可能に設けられたレンズシャッターを上記閉塞位置へ閉じるためのものであって、上記電子機器から引き出した持ち運び位置と該電子機器に収納した収納位置との間で移動可能に設けられた、該電子機器を持ち運ぶためのハンドルと、このハンドルを上記収納位置から持ち運び位置へ引き出す動作に連動して上記レンズシャッターを上記開放位置から上記閉塞位置に向けて移動させる連動機構と、を有する。
【０００８】
上記発明によると、電子機器を持ち運ぶためのハンドルを持ち運び位置へ引き出す動作に連動してレンズシャッターを閉塞位置に向けて移動させるようにしたため、電子機器の持ち運び時にレンズシャッターを閉め忘れてしまうことを防止でき、電子機器の持ち運び時に、レンズを確実に保護できる。
【発明の効果】
【０００９】
この発明のレンズシャッターの閉じ機構は、上記のような構成および作用を有しているので、簡単な装置構成で、ハンドルの引き出し動作に連動してレンズシャッターを閉じることができ、且つハンドルを収納した状態でもレンズシャッターを単独で開閉できる。
【発明を実施するための最良の形態】
【００１０】
以下、図面を参照しながらこの発明の実施の形態について詳細に説明する。  
図１には、この発明の実施の形態に係る電子機器としてプロジェクター１を右斜め前方から見た外観斜視図を示してあり、図２には、このプロジェクター１を左斜め前方から見た外観斜視図を示してある。
【００１１】
プロジェクター１は、その前面左側に片寄った位置にレンズ２を備え、その下面左側に持ち運び用のハンドル４を備えている。ハンドル４は、図２に示すように、プロジェクター１の筐体の左側方から引き出されて使用される。レンズ２にはレンズシャッター６（以下、単にシャッター６と称する）が開閉可能に取り付けられている。図１にはシャッター６を開放位置に開いた状態を図示してあり、図２にはシャッター６を閉塞位置に閉じた状態を図示してある。
【００１２】
図３には、ハンドル４の引き出し動作に連動してシャッター６を図２の閉塞位置へ閉じる閉じ機構１０について説明するため、プロジェクター１を裏面側から見た要部の透視図を示してある。
【００１３】
シャッター６は、その開閉方向（図中左右方向）に延びた細長いスライド孔８ａを有するガイド部材８にスライド自在に取り付けられている。すなわち、シャッター６の開方向先端（図中右端）にある舌片部６ａから内側に凸設されたボス部（図示せず）が、ガイド部材８のスライド孔８ａにスライド自在に挿通配置され、このスライド孔８ａに沿ってシャッター６がスライド可能となっている。図３では、シャッター６を閉塞位置にスライドした状態を図示してある。また、シャッター６の閉じ方向先端に近い下端辺には、略矩形板状の係合片部６ｂが下方に向けて一体に凸設されている。
【００１４】
ハンドル４は、筐体の左側面に沿って延びた把持部分４ａを有し、この把持部分４ａの両端をプロジェクター１の裏面に沿って図中右方向に略直角に折り曲げて形成され、その一端に、把持部分４ａと略平行に延びた係合端部４ｂが形成されている。この係合端部４ｂは、ハンドル４の引き出し動作時に、シャッター６の上述した係合片部６ｂに係合し、シャッター６をハンドル４に連動させてその閉塞位置へ向けて移動させるよう機能する。
【００１５】
なお、このハンドル４は、プロジェクター１の筐体の裏面に形成された２本のスライド溝１ａ、１ａにそれぞれスライド自在に挿通される２本のピン４ｃ、４ｃを一体に有する連絡板部４ｄを有し、スライド孔１ａ、１ａに対してピン４ｃ、４ｃをスライドさせることで、筐体に対して図中左右方向に引き出しおよび収納可能となっている。図３では、ハンドル４を収納位置から持ち運び位置へ引き出した状態を図示してある。
【００１６】
図４にその詳細を示すように、シャッター６とガイド部材８との間には、この発明の付勢機構として機能するαバネ１２が取り付けられている。αバネ１２は、その拡大図を図５に示すように、中央部がコイル状に複数回巻かれており、その両端を開く方向に付勢力を生じる。また、このαバネ１２の一端は、円環状に巻かれており、上述したシャッター６の舌片部６ａからガイド部材８のスライド孔８ａに向けて内側に凸設された図示しないボス部が挿通されることで、シャッター６に連結されている。さらに、αバネ１２の他端は、ガイド部材８のピンホール８ｂに挿通されて、ガイド部材に連結されている。
【００１７】
そして、このαバネ１２は、開放位置から閉塞位置へスライドさせる途中のシャッター６を閉塞位置に向けて付勢するとともに、閉塞位置から開放位置へスライドさせる途中のシャッター６を開放位置に向けて付勢するよう機能する。
【００１８】
すなわち、図３および図４に示す閉塞位置にシャッター６が配置されている状態では、αバネ１２は、シャッター６を図中左方向へ付勢しており、中央のコイル部分は、図示の位置に配置されている。
【００１９】
この状態からαバネ１２の付勢力に抗してシャッター６の爪６ｃを図中右方向に移動させ、シャッター６を開方向（図中右方向）にスライドさせると、αバネ１２の円環状の一端がシャッター６のボス部とともにスライド孔８ｂに沿って開方向にスライドし、図５に示すように縮み変形する。この状態では、まだ、αバネ１２は、シャッター６を閉じ方向に付勢している。
【００２０】
そして、ある臨界点を超えてシャッター６が開方向にさらにスライドされると、αバネ１２の中央のコイル部分がガイド部材８のピンホール８ｂを中心に図中時計回り方向に大きく回転し、その後、αバネ１２の一端に連結されたシャッター６がその開放位置に向けて付勢される。このときの臨界点は、ピンホール８ｂとαバネ１２の円環状の一端とがシャッター６のスライド方向と略直交する方向に並んだ点となる。臨界点を超えた後は、爪６ｃから手を離しても、シャッター６に外力を加えることなく、シャッター６が開放位置へ自動的に閉じられる。
【００２１】
逆に、開放位置に配置されたシャッター６を閉塞位置に向けてスライドさせる場合には、上述した臨界点を超えるまでシャッター６を外力によって閉じ方向にスライドさせる。図５には臨界点を越えた直後のαバネ１２の形状を示してあり、図６にはシャッター６が臨界点を越えて閉じ方向に付勢された直後の状態を図示してある。そして、臨界点を超えた後、外力によらず、シャッター６は、αバネ１２の付勢力によって、その閉塞位置へ自動的に閉じられる。
【００２２】
なお、ここで言う臨界点は、あくまでも、αバネ１２による付勢力の作用方向が切り換わる目安となる点であり、実際には、シャッター６側のボス部とガイド部材８側のスライド孔８ａとの間の摩擦力など、両者の間に働く種々の摩擦力によって、シャッター６のスライドを妨げる力が働くため、実際にシャッター６が動き始める臨界点には幅がある。
【００２３】
本実施の形態では、後述するハンドル４のストロークとの関係から、シャッター６が閉じ方向に移動を始める臨界点を、シャッター６を全ストロークの２／３だけ開放位置から閉塞位置へスライドさせた点に設計した。言い換えると、外力によってシャッター６を開放位置から全スライド距離の２／３まで閉じ方向に移動させたときにαバネ１２によってシャッター６が閉塞位置に向けて移動を開始するように設計した。
【００２４】
シャッター６は、上述したように、単独でも開閉でき、開方向へのスライド途中、および閉じ方向へのスライド途中から、αバネ１２の付勢力によって、自動的に、開放位置或いは閉塞位置へ付勢を開始されるが、本実施の形態では、シャッター６の閉じ方向への外力として、ハンドル４の引き出し動作を用いるようにした。
【００２５】
すなわち、シャッター６が開放位置に配置され且つハンドル４が収納位置に収納された状態から、ハンドル４を持ってプロジェクター１の筐体から引き出すと、ハンドル４の係合端部４ｂがシャッター６の係合片部６ｂに係合し、シャッター６に閉じ方向の外力が与えられる。この状態のまま、少なくとも、αバネ１２による付勢力によってシャッター６が自動的に閉塞位置に向けて移動を開始する臨界点までシャッター６に外力が加えられて、シャッター６が途中まで閉じられる。そして、臨界点を越えたシャッター６は、図５に示す形状に変形されたαバネ１２の付勢力によって、図６に示す状態からその閉塞位置に向けて自動的に移動を開始される。
【００２６】
本実施の形態では、ハンドル４を収納位置から持ち運び位置まで引き出す直前に、シャッター６が臨界点を越えるように、係合端部４ｂおよび／或いは係合片部６ｂのスライド方向に沿った位置を設計した。つまり、図６に示す状態でハンドル４は持ち運び位置に完全に引き出されていることになる。このため、ハンドル４を引き出すストロークを必要最小限に設計することができ、且つ、この必要最小限のハンドル操作によってシャッター６を閉じることができるようになった。
【００２７】
また、ハンドル４のストロークを小さくすることで、ハンドル４が筐体内に収納されるスペースをも小さくすることができ、例えば、発熱量の多い電子部品の近くにハンドル４が収納されることを防止できる。また、ストロークを小さくすることで、ハンドル４自体を小さくすることができ、その分、材料コストを低減でき、装置の製造コストを低減できる。
【００２８】
また、本実施の形態のように、ハンドル４を持ち運び位置に引き出す動作に連動させてシャッター６を閉じるようにすることで、プロジェクター１の持ち運び時にシャッター６を閉め忘れてしまう不具合を無くすことができる。これにより、プロジェクター１を持ち運んでいる途中で、レンズ２が傷付けられる不具合を防止でき、レンズ２を確実に保護できる。
【００２９】
さらに、本実施の形態では、ハンドル４を筐体内に収納した状態で、ハンドル４の係合端部４ｂがシャッター６の係合片部６ｂの拘束を解除するため、シャッター６を単独で開閉することもできる。つまり、プロジェクター１を使用状態に設置してハンドル４を筐体内に収納した状態でも、シャッター６を開閉できる。なお、この開閉動作時においても、シャッター６は、開閉の途中から自動的に開放或いは閉塞される。
【００３０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３１】
例えば、上述した実施の形態では、電子機器としてプロジェクターに本発明を適用した場合について説明したが、これに限らず、傷付き易いレンズなどの光学部材を保護するためのシャッターを必要とする他の電子機器に本発明を適用しても良い。
【００３２】
また、上述した実施の形態では、ハンドル４をプロジェクター１の筐体の左側側面から引き出す動作に連動させてシャッター６を閉じる場合について説明したが、これに限らず、右側側面からハンドルを引き出す構造を有するプロジェクターに本発明を適用することもできる。
【図面の簡単な説明】
【００３３】
【図１】この発明の実施の形態に係るプロジェクターを右斜め前方から見た外観斜視図。
【図２】図１のプロジェクターのレンズシャッターを閉じた状態を左斜め前方から見た外観斜視図。
【図３】ハンドルの引き出し動作にシャッターを連動させる連動機構について説明するための裏面側外観斜視図。
【図４】シャッターの付勢機構について説明するための正面図。
【図５】αバネを縮めた状態を示す部分拡大図。
【図６】ハンドルとシャッターの連動機構の要部について説明するための部分拡大外観斜視図。
【符号の説明】
【００３４】
１…プロジェクター、１ａ…スライド溝、２…レンズ、４…ハンドル、４ｂ…係合端部、４ｃ…ピン、６…シャッター、６ａ…舌片部、６ｂ…係合片部、８…ガイド部材、８ａ…スライド孔、８ｂ…ピンホール、１０…閉じ機構、１２…αバネ。
【図１】
2009157112.tif 000003
【図２】
2009157112.tif 000004
【図３】
2009157112.tif 000005
【図４】
2009157112.tif 000006
【図５】
2009157112.tif 000007
【図６】
2009157112.tif 000008
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
電子機器のレンズを閉塞する閉塞位置と上記レンズを開放する開放位置との間で移動可能に設けられたレンズシャッターを上記閉塞位置へ閉じる閉じ機構であって、
上記電子機器から引き出した持ち運び位置と該電子機器に収納した収納位置との間で移動可能に設けられた、該電子機器を持ち運ぶためのハンドルと、
このハンドルを上記収納位置から持ち運び位置へ引き出す動作に連動して上記レンズシャッターを上記開放位置から上記閉塞位置に向けて移動させる連動機構と、を有し、
上記連動機構は、上記ハンドルを上記収納位置へ収納した状態で、上記レンズシャッターの上記閉塞位置から上記開放位置に向かう方向の拘束を解除し、当該レンズシャッターの開閉動作を可能とすることを特徴とするレンズシャッターの閉じ機構。
【請求項２】
上記連動機構は、上記開放位置から上記閉塞位置へ向かう途中の上記レンズシャッターを、外力によらず、上記閉塞位置へ付勢する付勢機構を有し、
上記ハンドルの引き出し動作に連動して、少なくとも上記付勢機構による付勢力が働き始める位置まで上記レンズシャッターを移動させることで、当該シャッターが上記閉塞位置へ自動的に移動されることを特徴とする請求項１に記載の閉じ機構。
【請求項３】
上記付勢機構は、上記閉塞位置から上記開放位置へ向かう途中の上記レンズシャッターを、外力によらず、上記開放位置へも付勢することを特徴とする請求項２に記載の閉じ機構。
【請求項４】
上記付勢機構は、上記ハンドルを上記持ち運び位置まで引き出す直前に、上記レンズシャッターに上記閉塞位置へ向かう上記付勢力が働くよう設計されていることを特徴とする請求項２に記載の閉じ機構。
【手続補正２】
【補正対象書類名】明細書
【補正対象項目名】０００７
【補正方法】変更
【補正の内容】
【０００７】
上記目的を達成するため、本発明のレンズシャッターの閉じ機構は、電子機器のレンズを閉塞する閉塞位置と上記レンズを開放する開放位置との間で移動可能に設けられたレンズシャッターを上記閉塞位置へ閉じるためのものであって、上記電子機器から引き出した持ち運び位置と該電子機器に収納した収納位置との間で移動可能に設けられた、該電子機器を持ち運ぶためのハンドルと、このハンドルを上記収納位置から持ち運び位置へ引き出す動作に連動して上記レンズシャッターを上記開放位置から上記閉塞位置に向けて移動させる連動機構と、を有し、上記連動機構は、上記ハンドルを上記収納位置へ収納した状態で、上記レンズシャッターの上記閉塞位置から上記開放位置に向かう方向の拘束を解除し、当該レンズシャッターの開閉動作を可能とする。